(57)【要約】【課題】  書籍からのアクセスに応じて出版社側から情報を提供する技術を提供する。【解決手段】利用者が購入した書籍１と、利用者が所有している端末、例えばＰＣ４と、書籍１のアフターサービスを行うＷＥＢサーバ６と、を有しており、ＰＣ４とＷＥＢサーバ６とはインターネット５により接続可能になっている。書籍１は、例えば、その背表紙にＵＳＢ又はＩＥＥＥ１３９４などのＰＣに用いられている汎用インターフェイスを備えたコネクタ２が設けられている。コネクタ２とＰＣ４に備えられるＵＳＢコネクタとは、例えばＵＳＢケーブル３により接続することができる。或いは、書籍１のコネクタ２が、ＰＣ４のＵＳＢと直接に接続可能な形態をしていても良い。ＰＣ４は、インターネット５を介して書籍１のアフターサービスを行う出版社のＷＥＢサーバ６と接続することができる。ＷＥＢサーバ６から、利用者のＰＣ４に対して、種々の情報を提供することができる。【選択図】  図１
2006236036.tif 000002
【特許請求の範囲】
【請求項１】
書籍の出版元サーバにおいて書籍を識別するための書籍識別情報とネットワーク経由で出版元サーバへアクセスするための発行元アドレスとを格納する記憶部と、情報端末とのインターフェイスと、を有する書籍を利用した書籍関連情報提供方法であって、
前記情報端末と前記書籍とを前記インターフェイスを介して接続することにより、前記発行元アドレスに基づいてネットワーク経由で前記情報端末から発行元サーバへのアクセスを行うステップと、
前記発行元サーバから、前記書籍識別情報に基づいて得られた書籍に関する書籍関連情報を前記情報端末に対してネットワーク経由で提示するステップと
を有する書籍関連情報提供方法。
【発明の詳細な説明】
【技術分野】
【０００１】
本発明は、書籍に関する情報提供方法に関し、特にインターネットと接続可能なインターフェイスを有する書籍を利用した情報提供方法に関する。
【背景技術】
【０００２】
従来、書籍の出版社が購入者に対して書籍の改訂（バージョンアップ）情報に関する通知や購入者のアフターサービスなどを行う場合には、インターネットサイトを介して書籍の出版社にアクセスするためのURLを書籍などに表記しておき、購入者自身がインターネットサイトへアクセスする方法が一般的である。
【０００３】
この方法により利用者からWebサイトへアクセスさせるための方法としては、下記特許文献１に記載するものがある。この方法では、書籍などに印刷されているバーコードを、バーコードリーダにより読み取り、読み取ったデータに基づいてインターネットを介して出版社にアクセスし、書籍の商品検索や注文を容易にする手段が開示されている。また、書店などで書籍を管理するための電子的手段を用いる方法は多数提案されている。
【特許文献１】特開２００１−２６５８０１号公報
【発明の開示】
【発明が解決しようとする課題】
【０００４】
しかしながら、上記特許文献１に記載の技術は、バーコードリーダや、バーコード入力機能付きの携帯電話などの特別な機能を用いないとWebサイトへアクセスすることができず、ＵＲＬを購入者に入力させる必要があるという問題がある。また、書店などで書籍を管理する場合と異なり、購入者が出版社にアクセスするケースであり、より簡単な方法が好ましい。
【０００５】
本発明は、書籍の購入者又は所有者が、インターネットを介して書籍の出版社に対して簡単にアクセスできる方法を提供することを目的とする。
【課題を解決するための手段】
【０００６】
本発明によれば、書籍の出版元サーバにおいて書籍を識別するための書籍識別情報とネットワーク経由で出版元サーバへアクセスするための発行元アドレスとを格納する記憶部と、情報端末とのインターフェイスと、を有する書籍を利用した書籍関連情報提供方法であって、前記情報端末と前記書籍とを前記インターフェイスを介して接続することにより、前記発行元アドレスに基づいてネットワーク経由で前記情報端末から発行元サーバへのアクセスを行うステップと、前記発行元サーバから、前記書籍識別情報に基づいて得られた書籍に関する書籍関連情報を前記情報端末に対してネットワーク経由で提示するステップとを有する書籍関連情報提供方法が提供される。
【０００７】
これにより、書籍の購入者と書籍の発行元とを簡単に接続することができ、書籍の発行元から提供したい書籍関連情報を購入者に簡単に提示することができる。
【発明の効果】
【０００８】
本発明の書籍をPC経由でWEBサイトに接続することができる。例えば、ユーザ登録や正規ユーザである旨の認証が簡単にできる。また、書籍の購入者に対する発行元からのアフターサービスが行いやすいという利点がある。
【発明を実施するための最良の形態】
【０００９】
以下、本発明の実施の形態によるインターネット接続用インターフェイスを有する書籍を利用した情報提供方法について図面を参照しつつ具体的に説明する。高価な専門書、例えば医学書などでは、最新の技術を備えたバージョンアップ版などに関する情報が極めて重要である。そこで、本の購入者は、安易な方法で出版社にアクセスする手段を必要とし、一方、出版社も購入者に対してバージョンアップなどを通知することで、購買者に対したバージョンアップ版の購入を促すようにしたいという要求がある。
【００１０】
図１は、本実施の形態によるインターネット接続用インターフェイスを有する書籍のシステム構成図である。図１に示すように、本実施の形態によるシステムは、利用者が購入した書籍１と、利用者が所有している端末、例えばＰＣ４と、書籍１のアフターサービスを行うＷＥＢサーバ６と、を有しており、ＰＣ４とＷＥＢサーバ６とはインターネット５により接続可能になっている。
【００１１】
書籍１は、例えば、その背表紙にＵＳＢ又はＩＥＥＥ１３９４などのＰＣに用いられている汎用インターフェイスを備えたコネクタ２が設けられている。コネクタ２とＰＣ４に備えられるＵＳＢコネクタとは、例えばＵＳＢケーブル３により接続することができる。或いは、書籍１のコネクタ２が、ＰＣ４のＵＳＢと直接に接続可能な形態をしていても良い。ＰＣ４は、インターネット５を介して書籍１のアフターサービスを行う出版社のＷＥＢサーバ６と接続することができる。
【００１２】
図２は、本実施の形態によるインターネット接続用インターフェイスを有する書籍１の構造の詳細を示した図であり、書籍１の内容（文字や絵など）が記載されている紙ページ１０の背表紙１１に、例えば読み出し専用の安価なＲＯＭなどの記憶回路１２と、記憶回路１２と接続されるＵＳＢインターフェイス部１３とを有するモジュールを織り込んでいる。ＰＣ４とケーブル３で接続するためのコネクタ１３は背表紙１１から露出しており、利用者が、コネクタ１３を接続しやすいように構成されている。モジュールと背表紙とは、例えば瞬間接着剤などにより接着されている。また、モジュールは書籍の表紙裏（表紙や裏表紙の裏側）や書籍本体以外のブックケース等に接着されていてもよい。
【００１３】
図３は、書籍１に内蔵された記憶回路１２の構成例を示すブロック図である。図３に示すように、本実施の形態によるインターネット接続用インターフェイスを有する書籍１における記憶回路１２（図２）は、制御部２０と、記憶部２１と、ＵＳＢコネクタ２３を制御するインターフェース制御部２２と、ＵＳＢコネクタ部２３と、を有している。この記憶回路１２の電源は、ＵＳＢコネクタ２３を介してＰＣ側から供給され、ＰＣ４はインターフェース制御部２２を経由して記憶部２１のデータにアクセスすることができる。
【００１４】
図４は、書籍１に内蔵された記憶回路１２（図２）の記憶部２１（図３）に格納された情報の構成例を示す図である。図４に示すように、記憶部２１（図３）に格納された情報は、書籍を発行元で識別するための認証コード３０と、アフターサービスを提供するＷＥＢサーバ６（図１）のＵＲＬ３１と、アフターサービスをするための付加情報３２と、空き領域とを有している。認証コード３０は、例えば暗号コードであり、暗号鍵情報に基づいて認証コード３０を復元すると、例えば一定の文字情報になる。ＵＲＬ３１は、サービスを提供するＣＧＩを示されるようにすることができる。図５は、本実施の形態によるインターネット接続用インターフェイスを有する書籍１を、ケーブル３を用いてＰＣ４と接続した場合の動作の流れを示すフローチャート図である。図６は、Ｗｅｂサーバ６にＰＣ４が接続した時の動作の流れを示すフローチャート図である。これらの図面を参照しつつ、本実施の形態による書籍１の使用方法について説明する。
【００１５】
上述のように、書籍１には、例えば出版時に記憶回路１２（図２）を織り込んでおく。さらに、出荷時に記憶回路１２の記憶部２１（図３）に例えば図４に示すデータ構造の内容であって、認証と、出版元へのアクセス手段と、を含む情報を書き込んでおく。認証コード３０としては、鍵情報を元に例えば書籍情報であるＵＮＩＸ解説３２を暗号化した暗号コードを書き込むことができる。
【００１６】
店頭で書籍１を購入した利用者は、書籍１を所有するＰＣ４に接続する（ＳＴＡＲＴ）と、図３に示す制御部２０に通電され、ステップＳ１１においてコネクタ接続を確認する。コネクタ接続が確認されると（ＹＥＳ）、ステップＳ１２において認証コード３０を読み出し、ステップＳ１３でＵＲＬ３１を読み出し、ステップＳ１４で付加情報３２を読み出す。尚、付加情報とは、例えば、書籍の表題や著者、正誤表、カテゴリ、発行年、バージョンアップがあるか否か、などのユーザにとって有用な情報を含む。ステップＳ１５においてＷＥＢブラウザを起動させる場合には、ＵＲＬ３１（図４）を指定し、ＵＲＬ３１（図４）のＣＧＩパラメタとして認証コード３０（図４）および付加情報３２（図４）を与える。
【００１７】
ＷＥＢサーバ６では、ＵＲＬ３１のＣＧＩが起動されると、図６に示す処理が実行され、ステップＳ２１において、認証コード３０及び付加情報３２を取り出す。次いで、ステップＳ２２において認証コードがあるか否かを判断し、認証コードがある場合は（ＹＥＳ）ステップＳ２３に進み、認証コードを復元する。復元は、鍵情報に基づいて行い、ステップＳ２３において、復元した情報と付加情報３２とが同じであれば、このＣＧＩを実行した利用者は書籍１の正当な所有者と判断して、ステップＳ２５に進みサービスのＷＥＢページを表示する。サービスのページは、書籍１の改訂情報の提供や、改訂版の割引購入画面などを表示するものであり、利用者に対して出版元が提供したい情報を提示するものである。ステップＳ２２において認証コードが無い場合にはステップＳ２６に進み、エラー表示を行う。
【００１８】
サービス画面表示には、ユーザ登録画面、サービス提供画面、課金画面、などの種々の操作が可能なＧＵＩが提示される。
【００１９】
以上、本発明の実施の形態によれば、書籍にフラッシュメモリを組み込むことにより、書籍自身に認証キーなどの暗号情報を格納しておくことができ、当該書籍を例えばＰＣなどの端末経由でＷＥＢサイトに接続した者を正規の購入者と判断することができる。また、物理的に書籍とデジタルデータとを同期的に管理することができるため、購入者だけでなく、購入者から譲り受けた所有者へのアフターサービスも実行可能である。
【００２０】
さらに、フラッシュメモリの容量を多くすることにより、書籍内容を電子データ化したものと、読み上げプログラムを格納しておくことも可能である。このようにすると、特定なオペレーションシステムを搭載したＰＣを保有している所有者に対して、WEBサイトに接続しなくても、情報を提供することができ、また、目の不自由な人に対する音声サービスを行うこと、英語など書籍の記載と異なる言語での読み上げによる語学学習のサービスを提供することもできる。
【００２１】
このように、本実施の形態による書籍では、購入者と出版社との間で、一般的な書籍とは異なる様々なサービスや情報のやり取りを行わせることが簡単にできるという利点がある。
【産業上の利用可能性】
【００２２】
本発明は、書籍に関する発行元からの関連情報の提供方法として利用可能である。
【図面の簡単な説明】
【００２３】
【図１】本発明の一実施の形態による書籍関連情報を提供するために利用されるインターネット接続用インターフェイスを有する書籍を含むシステム構成例を示す図である。
【図２】書籍にフラッシュメモリを組み込んだ構成例を示す図である。
【図３】図２に示すフラッシュメモリの機能ブロック図である。
【図４】フラッシュメモリ内に記憶されている内容の例を示す図である。
【図５】書籍をＰＣに接続した場合の動作の流れを示すフローチャート図である。
【図６】書籍のアフターサービスを実施するＷＥＢサーバの動作例を示すフローチャート図である。
【符号の説明】
【００２４】
１…フラッシュメモリ内臓書籍、２…ＰＣ接続用コネクタ、３…ＰＣと書籍を接続するケーブル、４…ＰＣ、５…インターネット、６…ＷＥＢサーバ、１０…書籍のページ部、１１…背表紙、１２…フラッシュメモリの記憶回路、１３…コネクタ、２０…記憶回路の制御部、２１…記憶回路の記憶部、２２…記憶回路のインターフェース制御部、２３…記憶回路のコネクタ部、３０…記憶回路記憶部の認証コード格納部分、３１…記憶回路記憶部のＵＲＬ格納部分、３２…記憶回路記憶部の付加情報部。
【図１】
2006236036.tif 000003
【図２】
2006236036.tif 000004
【図３】
2006236036.tif 000005
【図４】
2006236036.tif 000006
【図５】
2006236036.tif 000007
【図６】
2006236036.tif 000008